(57)【特許請求の範囲】
【請求項１】
被加熱物を収容する鍋状容器を加熱する加熱手段と、
前記加熱手段を制御する制御手段と、を備え、
前記制御手段は、
前記鍋状容器に前記被加熱物として玄米が収容され、前記玄米を炊き上げる玄米用の炊飯工程で実行される吸水工程において、前記被加熱物の温度が前記玄米の皮の軟化温度以上に到達すると、前記加熱手段への入力を停止し、その後、前記被加熱物の温度を糊化温度以上で保持する
ことを特徴とする加熱調理器。
【請求項２】
冷却手段を有し、
前記制御手段は、
前記吸水工程において、前記被加熱物の温度が前記玄米の皮の軟化温度に到達すると、前記冷却手段を制御して前記被加熱物を冷却する
ことを特徴とする請求項１に記載の加熱調理器。
【請求項３】
前記冷却手段として前記鍋状容器内に水を供給する給水手段を備え、
前記制御手段は、
前記吸水工程において、前記被加熱物の温度が前記玄米の皮の軟化温度に到達すると、前記給水手段を動作させて前記鍋状容器内に水を供給させる
ことを特徴とする請求項２に記載の加熱調理器。
【請求項４】
玄米を炊き上げる玄米用の炊飯工程を備えた加熱制御方法であって、
前記炊飯工程で実行される吸水工程において、
鍋状容器に収容された被加熱物の温度が玄米の皮の軟化温度以上に到達すると、前記鍋状容器を加熱する加熱手段への入力を停止し、前記加熱手段への入力停止後、前記被加熱物の温度が予め定めた設定温度より低下した場合、前記鍋状容器の温度及び前記被加熱物の温度のいずれか１つの温度情報に基づいて前記被加熱物の温度を予め定めた糊化温度以上で保持する
ことを特徴とする加熱制御方法。
【発明の詳細な説明】
【技術分野】
【０００１】
本発明は、米等の食品を入れた鍋状容器を加熱調理する加熱調理器及び加熱制御方法に関するものである。
【背景技術】
【０００２】
健康志向の高まりに伴い玄米食が見直されて久しいが、玄米には皮（種皮や果皮）があるため、「炊飯時間が長い」、「皮がボソボソして美味しくない」といった点で好まれないことが多い。
【０００３】
そこで従来、短時間に炊飯し、白米ご飯と同等の食感に炊き上げることを目的に、玄米に水を吸水させる前炊き工程と、玄米の糊化を促進する加熱工程を含む炊飯工程を有し、前記加熱工程において水を加える工程を設けて炊飯する炊飯器が提案されている（例えば、特許文献１参照）。
【先行技術文献】
【特許文献】
【０００４】
【特許文献１】特開２０１１−２０６３６４号公報（例えば、請求項１等参照）
【発明の概要】
【発明が解決しようとする課題】
【０００５】
しかしながら、特許文献１に記載のように、加熱工程である沸騰中の状態で水を加えると、玄米の皮が破れるのと同時に米粒が割れたりすることで玄米内部の胚乳部のデンプンが炊飯液に溶出し、炊きあがったときには皮と胚乳部が分離してしまい、皮の口当たりが悪くて美味しくないという課題があった。
【０００６】
本発明は、上記のような課題を解決するためになされたものであり、短時間に美味しい玄米ご飯を炊飯することが可能な加熱調理器及び加熱制御方法を提供することを目的としている。
【課題を解決するための手段】
【０００７】
本発明に係る加熱調理器は、被加熱物を収容する鍋状容器を加熱する加熱手段と、前記加熱手段を制御する制御手段と、を備え、前記制御手段は、前記鍋状容器に前記被加熱物として玄米が収容され、前記玄米を炊き上げる玄米用の炊飯工程で実行される吸水工程において、前記被加熱物の温度が前記玄米の皮の軟化温度以上に到達すると、前記加熱手段への入力を停止し、その後、前記被加熱物の温度を糊化温度以上で保持するものである。
【０００８】
本発明に係る加熱制御方法は、玄米を炊き上げる玄米用の炊飯工程を備えた加熱制御方法であって、前記炊飯工程で実行される吸水工程において、鍋状容器に収容された被加熱物の温度が玄米の皮の軟化温度以上に到達すると、前記鍋状容器を加熱する加熱手段への入力を停止し、前記加熱手段への入力停止後、前記被加熱物の温度が予め定めた設定温度より低下した場合、前記鍋状容器の温度及び前記被加熱物の温度のいずれか１つの温度情報に基づいて前記被加熱物の温度を予め定めた糊化温度以上で保持するものである。
【発明の効果】
【０００９】
本発明の加熱調理器及び加熱制御方法によれば、玄米の皮を軟化させて吸水工程を実行することで、短時間に玄米を炊飯することができ、且つ、炊き上がりが美味しい玄米ご飯になる。
【図面の簡単な説明】
【００１０】
【図１】本発明の実施の形態に係る家庭用ＩＨ式炊飯器の構成の一例を概略的に示す断面模式図である。
【図２】本発明の実施の形態に係る家庭用ＩＨ式炊飯器の炊飯工程と、被加熱物温度、鍋状容器温度、加熱コイルへの通電電力の推移の一例を示す図である。
【図３】本発明の実施の形態に係る家庭用ＩＨ式炊飯器の炊飯工程を説明するフローチャートである。
【図４】本実施の形態とは異なる温度履歴で加熱した吸水工程終了直後の玄米の状態を示すイメージ図である。
【図５】本発明の実施の形態に係る家庭用ＩＨ式炊飯器の吸水工程終了直後の玄米の状態を示すイメージ図である。
【図６】本発明の実施の形態に係る家庭用ＩＨ式炊飯器の炊飯工程と、被加熱物温度、鍋状容器温度、加熱コイルへの通電電力の推移の他の一例を示す図である。
【発明を実施するための形態】
【００１１】
以下、本発明に係る加熱調理器及び加熱制御方法の実施の形態について、家庭用ＩＨ式炊飯器に適用した場合を例に図面を参照しながら説明する。なお、以下に説明する実施の形態によって本発明が限定されるものではない。また、図１を含め、以下の図面では各構成部材の大きさの関係が実際のものとは異なる場合がある。また、以下の説明において、理解を容易にするために方向を表す用語（例えば「上」、「下」、「右」、「左」、「前」、「後」など）を適宜用いるが、これは説明のためのものであって、これらの用語は本発明を限定するものではない。
【００１２】
図１は、本発明の実施の形態に係る家庭用ＩＨ式炊飯器（以下、炊飯器１００と称する）の構成の一例を概略的に示す断面模式図である。図１に基づいて、炊飯器１００について説明する。この炊飯器１００は、被加熱物（本実施の形態では米２００及び水２０１）を入れた鍋状容器５を加熱コイル３で加熱することで被加熱物を炊き上げるものである。
【００１３】
図１に示すように、炊飯器１００は、例えば外観が有底筒状の本体１と、本体１に取り付けられ、本体１の上部開口部を開閉する蓋体１０と、を備えている。
【００１４】
（本体１）
本体１は、容器カバー２と、加熱手段としての加熱コイル３と、鍋底温度センサー４と、蓋体１０を開閉自在に支持するヒンジ部６と、時間計測手段７と、各部及び各装置を駆動制御して炊飯工程を実行する制御手段８とを備えている。
【００１５】
容器カバー２は、有底筒状に形成されていて、その内部に鍋状容器５が着脱自在に収容されるものである。容器カバー２の底部中央には、鍋底温度センサー４が挿入される孔部２ａが設けられている。
なお、鍋状容器５は、誘導加熱により発熱する磁性体の金属を含む材料で構成され、有底円筒形状である。鍋状容器５の上端部外周には、フランジ部５ａが形成されている。
【００１６】
加熱コイル３は、制御手段８により通電制御され、鍋状容器５を誘導加熱するものである。なお、加熱手段として、加熱コイル３に代えてシーズヒーター等の電気ヒーターを設けてもよい。また、図１の例では、鍋状容器５の底面近傍に加熱コイル３を配置しているが、加熱コイル３の配置は図示のものに限定されず、例えば鍋状容器５の底面近傍に加えて鍋状容器５の側面に沿って加熱コイル３を設けてもよい。加熱コイル３が、本発明の「加熱手段」に相当する。
【００１７】
鍋底温度センサー４は、例えばサーミスタで構成され、鍋状容器５の温度を検知するものである。鍋底温度センサー４は、バネ等の弾性手段によって上方に付勢されており、容器カバー２に収容された鍋状容器５の底面に接するように構成されている。鍋底温度センサー４が検知した鍋状容器５の温度に関する情報は、制御手段８に出力される。なお、鍋底温度センサー４の具体的構成はサーミスタに限定されず、鍋状容器５に接触して温度を検知する接触式温度センサーのほか、例えば赤外線センサー等の鍋状容器５の温度を非接触で検知する非接触式温度センサーを採用してもよい。
【００１８】
ヒンジ部６は、本体１の上部の一端側（紙面左側）に設けられ、蓋体１０を開閉自在に支持するものである。
なお、本体１に、炊飯器１００を運搬するためのハンドル（図示省略）を設けておいてもよい。ハンドルを設ける場合には、ハンドルを本体１の側面上部の略前後中央に軸支し、ハンドルの回転方向を蓋体１０の回動方向と一致させるとよい。そうすれば、炊飯器１００を運搬する際には、使用者はハンドルの軸支点のほぼ直上に位置するようにハンドルを回転させて持ち上げ、ハンドルのみを持って炊飯器１００を運搬することが可能となる。
【００１９】
時間計測手段７は、制御手段８に指示されて経過時間をカウントするようになっている。そして、時間計測手段７がカウントした経過時間は、制御手段８に出力される。
【００２０】
制御手段８は、鍋底温度センサー４、並びに蓋体１０に設けられた操作表示部１５及び内部温度センサー１６からの出力に基づいて、加熱コイル３に通電する高周波電流を制御する。そのほか、制御手段８は、炊飯器１００の動作全般を制御する。制御手段８は、その機能を実現する回路デバイスのようなハードウェアで構成することもできるし、マイコンやＣＰＵのような演算装置と、その上で実行されるソフトウェアとにより構成することもできる。
【００２１】
（蓋体１０）
蓋体１０は、外蓋１１と、内蓋１２と、を有している。外蓋１１には、後述するカートリッジ１４が着脱自在に設けられ、外蓋１１の上面には操作表示部１５が設けられている。
【００２２】
外蓋１１は、蓋体１０の上部及び側部を構成し、その下面（鍋状容器５に対向する面）には、内蓋１２が着脱自在に取り付けられている。
内蓋１２は、例えばステンレスなどの金属で構成されており、外蓋１１の本体１側の面に係止材１３を介して取り付けられている。内蓋１２の周縁部には、鍋状容器５の上端部外周に形成されたフランジ部５ａとの密閉性を確保するためのシール材の蓋パッキン９が取り付けられている。また、内蓋１２には、内部温度センサー１６を挿入させる孔部１２ａが設けられている。さらに、内蓋１２には、鍋状容器５内で発生した蒸気が出入する蒸気口１２ｂが設けられ、後述するカートリッジ１４の蒸気取入口１４ａと通じている。
なお、外蓋１１には、内蓋１２の孔部１２ａに挿入された内部温度センサー１６の外周の隙間を塞ぐパッキン１１ａが取り付けられている。
【００２３】
（カートリッジ１４）
カートリッジ１４は、外蓋１１の上面に着脱自在に設けられている。カートリッジ１４には、炊飯中に発生する蒸気圧に応じて上下動する弁（図示せず）を備えた蒸気取入口１４ａと、蒸気取入口１４ａの弁を通過した蒸気を外部へ排出する蒸気排出口１４ｂとが設けられている。蒸気取入口１４ａは蒸気口１２ｂに通じており、蒸気は、蒸気口１２ｂを通過して蒸気取入口１４ａからカートリッジ１４内に入ってカートリッジ１４内を流れ、蒸気排出口１４ｂからカートリッジ１４の外へ流出する。カートリッジ１４内を流れる過程において蒸気は冷却されて復水するので、炊飯器１００の外へ流出する蒸気量を減らすことができる。
【００２４】
（操作表示部１５）
操作表示部１５は、外蓋１１の上面に設けられている。この操作表示部１５は、使用者からの各種指示（例えば、炊飯の開始、取り消し、予約など）を受け付けるとともに、各種情報（例えば、操作入力に関する情報、炊飯器１００の動作状態など）、を表示するものである。操作表示部１５に対して設定可能な項目としては、例えば、炊飯の開始、取り消し、炊飯予約、炊飯メニューがある。炊飯メニューの具体例としては、白米炊飯又は玄米炊飯等の米の種類に関するもの、標準炊飯又は早炊き炊飯等の炊飯時間に関するもの、かため又はやわらかめ等の炊き上がりの米飯のかたさに関するもの等が挙げられる。操作表示部１５が表示する項目としては、例えば、炊飯中又は予約待機中等の炊飯器１００の状態、設定されている炊飯メニューの内容、炊き上がりの予定時刻、現在時刻、炊飯する米の量等が挙げられる。なお、ここで示した操作表示部１５の具体的構成は一例であり、本発明を限定するものではない。
【００２５】
操作表示部１５に対して使用者が操作入力を行うと、本体１に内蔵された制御手段８は、入力された炊飯メニュー及び炊飯する米の量に合わせた炊飯プログラムに従って、加熱コイル３を動作させて炊飯工程を実行する。
【００２６】
（内部温度センサー１６）
内部温度センサー１６は、鍋状容器５内の温度を検知する温度検知手段であり、外蓋１１に取り付けられている。内部温度センサー１６の一部は内蓋１２の孔部１２ａに挿入されており、内部温度センサー１６は孔部１２ａを介して鍋状容器５内の温度を検知するようになっている。内部温度センサー１６は、例えばサーミスタで構成することができる。内部温度センサー１６が検知した鍋状容器５内の温度に関する情報は、制御手段８に出力される。
【００２７】
次に、炊飯器１００の炊飯工程の動作について説明する。
図２は、炊飯器１００の炊飯工程と、被加熱物温度、鍋状容器温度、加熱コイルへの通電電力の推移の一例を示す図である。図３は、炊飯器１００の炊飯工程を説明するフローチャートである。以下、炊飯器１００の炊飯工程を、図２及び図３を参照して説明する。なお、本実施の形態では、被加熱物温度、すなわち鍋状容器５の内部温度を、内部温度センサー１６の検出値に基づいて検出する。また、鍋状容器温度（鍋状容器５の温度）を、鍋底温度センサー４の検出値に基づいて検出する。
【００２８】
まず、炊飯器１００の炊飯工程を構成する各工程について大まかに説明する。
図２、図３に示すように、炊飯器１００の炊飯工程は、吸水工程（ステップＳ１）と、昇温工程（ステップＳ７）と、沸騰維持工程（ステップＳ８）と、蒸らし工程（ステップＳ９）とを含んでいる。
【００２９】
吸水工程とは、米の内部にまで吸水を促す工程である。その次の昇温工程とは、吸水工程終了後から鍋状容器５内の水が沸騰するまでの工程である。鍋状容器５内の水が沸騰すると、制御手段８は、次の沸騰維持工程に移行する。この沸騰維持工程では、鍋状容器５内の温度が沸騰温度を保持するように加熱し、米のデンプンの糊化を促進する。最後の蒸らし工程とは、鍋状容器５内の米を蒸らすことにより米粒中心部まで糊化を進行させ、且つ、米粒内の水分の分布を均一にする工程である。
【００３０】
次に、炊飯器１００の炊飯工程の動作について説明する。
まず、使用者が、米２００と水２０１を入れた鍋状容器５を、本体１内の容器カバー２に収納し、蓋体１０を閉じ、操作表示部１５で炊飯メニューを玄米炊飯と設定し、炊飯スイッチ(図示せず)を押下して、炊飯器１００に動作指示を与える。炊飯器１００は、炊飯スイッチが使用者によって押下され、動作指示が与えられることで制御手段８は炊飯工程を開始する。
【００３１】
加熱が開始されると、ステップＳ１の吸水工程が実行される。制御手段８は、時間計測手段７で経過時間ｔの計測を開始させ（ステップＳ２）、予め設定された電力Ｐで加熱コイル３に通電し、鍋状容器５の加熱を行う（ステップＳ３）。
【００３２】
次に、制御手段８は、内部温度センサー１６が検知する被加熱物の温度Ｔが、玄米の皮の軟化温度であるＴ２（たとえば８０℃）以上であるか否かを判定する（ステップＳ４）。内部温度センサー１６が検知する温度ＴがＴ２以上であると判定すると（ステップＳ４；Ｙｅｓ）、制御手段８は、加熱コイル３への通電を遮断する（ステップＳ５）。そして、制御手段８は、時間計測手段７がカウントする経過時間ｔが予め設定された経過時間ｔ２以上であるか否かを判定する（ステップＳ６）。経過時間ｔが予め設定された経過時間ｔ２以上であると判定すると（ステップＳ６；Ｙｅｓ）、制御手段８は、次の昇温工程に進み、順次、沸騰維持工程、蒸らし工程を実行し炊飯が終了する。
【００３３】
以上のように、炊飯器１００によれば、被加熱物を皮が軟化する温度まで到達すると、加熱コイル３への通電を遮断し、被加熱物の温度を低下させることで、短時間に美味しく炊飯することができるという効果を奏する。
【００３４】
図４は、本実施の形態とは異なる温度履歴で加熱した吸水工程終了直後の玄米の状態を示すイメージ図である。図５は、炊飯器１００の吸水工程終了直後の玄米の状態を示すイメージ図である。図４及び図５を参照しながら、玄米の炊き上がり状態について説明する。
【００３５】
吸水工程において、被加熱物の温度を低温（たとえば３０℃）に保持しても玄米の皮が軟らかくならず、内部のデンプンへの吸水が進まない。低温で吸水させるためには１晩以上の時間を要する。吸水が不十分なまま昇温工程、沸騰維持工程、蒸らし工程と炊飯工程を進めても、皮と胚乳部がなかなか軟らかくならない。水の量を増やして長時間沸騰維持させると胚乳部だけが過剰に吸水してぐちゃぐちゃになり、皮と胚乳部が分離して皮の口当たりが悪く美味しくない。
【００３６】
そこで、炊飯器１００では、吸水工程で玄米を高温にさらすことで玄米の皮が軟化し、且つデンプンの吸水も進むため、短時間で美味しく炊飯できるようにしている。実験により７０℃付近から玄米の皮の軟化が起こり始め、温度が高いほど、特に８０℃以上で軟化が進みやすいことが分かった。さらに、単純に軟化温度を維持するように加熱を続けるのではなく、本実施の形態のように皮の軟化温度以上に到達したら加熱手段への入力を停止し被加熱物の温度を低下させることで、粒の形状をきれいに保持した状態で炊きあがり、好ましい食感の美味しい玄米ご飯になることが分かった。
【００３７】
皮の軟化温度のまま加熱を続けると、皮に生じた裂け目から胚乳部のデンプンが急激に、且つ、過剰に吸水して膨らみ、結果、その裂け目から一部のデンプンがはみ出す状態となって、吸水工程終了時には米粒がいびつな形状となる（図４参照）。この状態で炊き上げると、皮からはみ出したデンプン部分がぐちゃぐちゃして食感が悪くなり美味しくない。
【００３８】
しかし、本実施の形態のように軟化温度に到達すると加熱手段への入力を停止し、被加熱物の温度を低下させることで胚乳部のデンプンの過剰吸水を抑制できる。そして、一旦は軟化温度以上の高温にさらすことで皮が軟化して組織構造が緩みつつ、余熱で徐々に胚乳部のデンプンの吸水も進むため、皮と胚乳部がほぼ同時進行で膨らむ。そのため、図５のように米粒の形状を保持したままの状態で吸水工程を終了することができ、この状態で炊き上げると、飯粒の食感が良く美味しい玄米ごはんとなる。
【００３９】
なお、ステップＳ４において内部温度センサー１６で被加熱物の温度を検知して加熱コイル３への通電、遮断を判断したが、鍋底温度センサー４で鍋底温度Ｔ１を検知することにより、被加熱物の温度を予測して判断するようにしてもよい。鍋底温度センサー４で鍋底温度Ｔ１を検知することにより、鍋底部の玄米が過加熱状態になって焦げてしまうことを抑止することができる。
ただし、内部温度センサー１６で被加熱物の温度を推測して判断することにより、被加熱物全体が十分に皮の軟化温度に到達したことを判断することができる。
また、温度検知手段の情報に基づくのではなく、予め設定された電力Ｐで予め設定された時間ｔ１だけ加熱するようにしてもよい。
【００４０】
外気温が高い場合や炊飯量が多い場合は、加熱コイル３への通電を遮断してもなかなか温度が下がらないことがある。その場合は、前述したように胚乳部のデンプンが急激に、且つ、過剰に吸水して膨らみ、美味しくない玄米ご飯につながってしまう。そのため、冷却手段として炊飯器１００に給水手段を設けるようにしてもよい（図示せず）。たとえば、ステップＳ４で内部温度センサー１６が検知する温度ＴがＴ２以上であると判定すると（ステップＳ４；Ｙｅｓ）、制御手段８は、給水手段を動作させ鍋状容器５内に水を供給し被加熱物の温度を低下させる。また、冷却手段としてファンを設け、ファンによって風をあてることで冷却するようにしてもよい。
【００４１】
逆に、外気温が低い場合や炊飯量が少ない場合は、加熱コイル３への通電を遮断するとすぐに温度が下がり所望の温度（予め定めた設定温度）よりも低下することがある。デンプンは温度が高ければ高いほど吸水が進むため、ここで温度が下がりすぎると玄米の中心部まで水が行き渡らず、芯のある炊き上がりにつながってしまう。その場合は、図６に示すように鍋底温度センサー４及び内部温度センサー１６の少なくとも１つからの情報に基づいて所望の温度帯（予め定めた温度帯、この場合は、温度Ｔ４〜Ｔ３の間）を保持するように加熱コイル３へ通電するようにしてもよい。または，所望の温度帯を保持するような所定の電力で加熱コイル３へ通電するようにしてもよい。図６は、炊飯器１００の炊飯工程と、被加熱物温度、鍋状容器温度、加熱コイルへの通電電力の推移の他の一例を示す図である。
【００４２】
なお、温度Ｔ３が糊化温度以上の場合、より短時間に吸水が進むため炊飯時間の短縮につながるという効果がある。
【００４３】
一方、温度Ｔ３が糊化温度未満の場合、胚乳部のデンプンが過剰に吸水することがないため、炊き上がりの食感が悪くなるのを防ぐことができる。また、吸水時間を長時間実施することが可能となり、その結果、糊化温度以下の温度帯で酵素活性が高いＧＡＢＡ生成酵素の働きにより、健康に良いといわれるＧＡＢＡ（γ−アミノ酪酸）を多く含んだ玄米ご飯を炊き上げることができるという効果がある。
【００４４】
そのため、吸水工程の時間を予め設定された時間ｔ２だけ実行するのではなく、内部温度センサー１６または鍋底温度センサー４の情報に基づいて判断してもよい。また、温度の低下は前述のとおり外気温や炊飯量に依存するため、外気温検知手段や炊飯量判定手段の情報に基づき、吸水工程の時間を判断してもよい。もしくは、予め設定された時間ｔ２で判断するのではなく、皮の軟化温度以上に到達したと判断した後の時間（すなわち、時間ｔ２−ｔ１）を所定の時間とするようにしてもよい。皮の軟化温度以上まで到達させた後の工程は吸水が進みやすいため、到達後の時間を所定の時間とすることで炊飯するたびに吸水工程での吸水ばらつきが発生することなく、毎回同一の仕上がりの玄米ご飯を供することができる。
【００４５】
なお、本実施の形態では本発明に係る加熱調理器及び加熱制御方法を家庭用ＩＨ式炊飯器を例にして、炊飯器における玄米の炊飯について述べたが、炊飯器に限るものではなく、たとえばＩＨクッキングヒーターやガスコンロなどの加熱調理器を用いた加熱制御方法に適用してもよい。ＩＨクッキングヒーターやガスコンロなどの加熱調理器であれば、炊飯器１００が備える本体１や容器カバー２がない状態で炊飯することになるため、加熱手段への入力を停止すると鍋状容器内の被加熱物の温度が早く冷えるため、外気温が高い場合や炊飯量が多い場合であっても冷却手段が不要で図２に示すような理想的な温度履歴で炊飯が可能となる。
【００４６】
なお、これまで玄米での炊飯について述べてきたが、皮がついた状態のまま食する穀類、たとえばアワなどにも適用することで美味しく炊飯することができる。
【符号の説明】
【００４７】
１  本体、２  容器カバー、２ａ  孔部、３  加熱コイル、４  鍋底温度センサー、５  鍋状容器、５ａ  フランジ部、６  ヒンジ部、７  時間計測手段、８  制御手段、９  蓋パッキン、１０  蓋体、１１  外蓋、１１ａ  パッキン、１２  内蓋、１２ａ  孔部、１２ｂ  蒸気口、１３  係止材、１４  カートリッジ、１４ａ  蒸気取入口、１４ｂ  蒸気排出口、１５  操作表示部、１６  内部温度センサー、１００  炊飯器、２００  米、２０１  水。
【図１】
0006008888.tif 000002
【図２】
0006008888.tif 000003
【図３】
0006008888.tif 000004
【図４】
0006008888.tif 000005
【図５】
0006008888.tif 000006
【図６】
0006008888.tif 000007